(57)【要約】【課題】非常に広範囲に亘って良好な軸比を得ることができ、天頂方向の利得が大きい円偏波アンテナを提供すること。【解決手段】円偏波アンテナ１０は、平面状ループアンテナ素子１２２と、この平面状ループアンテナ素子１２２に対して位相を９０度ずつ変化させた４つの給電を行う給電手段とを有する。給電手段は、４本の給電プローブ１３１〜１３４から成る。円偏波アンテナ１０は、平面状ループアンテナ素子１２２と平行に配置された回路基板２５を備える。回路基板２５は平面状ループアンテナ素子１２２よりも大面積である。回路基板２５の主面２５Ｕは全面がグランドプレーンである。回路基板２５の裏面２５Ｌには９０度位相シフタが形成されている。【選択図】      図１
2007221185.tif 000002
【特許請求の範囲】
【請求項１】
平面状ループアンテナ素子と、
該平面状ループアンテナ素子に対して位相を（３６０／Ｎ）度（Ｎは２以上の整数）ずつ変化させたＮ個の給電を行う給電手段と、
を有する円偏波アンテナ。
【請求項２】
前記給電手段が第１乃至第Ｎの給電プローブから成る、請求項１に記載の円偏波アンテナ。
【請求項３】
前記第１乃至第Ｎの給電プローブに接続された（３６０／Ｎ）度位相シフタを有する、請求項２に記載の円偏波アンテナ。
【請求項４】
前記平面状ループアンテナ素子が平面方形のループ形状をしている、請求項１乃至３のいずれか１つに記載の円偏波アンテナ。
【請求項５】
前記平面状ループアンテナ素子が平面円形のループ形状をしている、請求項１乃至３のいずれか１つに記載の円偏波アンテナ。
【請求項６】
前記第１乃至第Ｎの給電プローブの各々が逆Ｌ字形をしている、請求項２又は請求項３に記載の円偏波アンテナ。
【請求項７】
前記第１乃至第Ｎの給電プローブの各々がＬ字形をしている、請求項２又は請求項３に記載の円偏波アンテナ。
【請求項８】
前記第１乃至第Ｎの給電プローブの各々がＴ字形をしている、請求項２又は請求項３に記載の円偏波アンテナ。
【請求項９】
前記第１乃至第Ｎの給電プローブの各々が逆三角形をしている、請求項２又は請求項３に記載の円偏波アンテナ。
【請求項１０】
上面に平面アンテナ素子パターンが形成されたアンテナ基板と、
前記平面アンテナ素子パターンへ電磁結合により給電するために、位相を（３６０／Ｎ）度（Ｎは２以上の整数）ずつ変化させたＮ本の給電プローブと、
前記アンテナ基板と平行に配置されたグランド板と、
該グランド板の裏面に配置された回路基板であって、裏面に前記Ｎ本の給電プローブと接続される（３６０／Ｎ）度位相シフタが形成された前記回路基板と、
前記Ｎ本の給電プローブを配置するためのＮ個の溝を持ち、前記グランド板と前記アンテナ基板との間に配置されるベースと、
前記ベースを間に挟んで前記アンテナ基板と前記グランド板とを締結する締結手段と、
を有することを特徴とする円偏波アンテナ。
【発明の詳細な説明】
【技術分野】
【０００１】
本発明は、円偏波アンテナに関し、特に、μチップと呼ばれる超小型の無線ＩＣチップを商品タグ（ＩＣタグ）として商品に埋め込んでおき、その商品に関する情報をμチップから読み取るために用いられる円偏波アンテナに関する。
【背景技術】
【０００２】
従来においては、商品（物品）を識別するために、バーコードが当該商品に貼付されている。そして、そのバーコードをバーコード読取装置で読み取ることにより、当該商品に関する情報を読み取るようにしている。
【０００３】
最近では、μチップと呼ばれる超小型の無線ＩＣチップが開発され、このμチップを商品タグ（ＩＣタグ）として商品に予め埋め込まれるようになりつつある。そして、μチップとアンテナとの間で電波を送受信することによって、当該商品に関する情報を読み取ることができる。ここで使用される電波の周波数は、２．４ＧＨｚであり、電波は円偏波である。
【０００４】
μチップとの間で電波（円偏波）を送受信するための円偏波アンテナとしては、種々のタイプのものが使用され得る。そのようなアンテナの１つにループアンテナを用いた平面アンテナがある（例えば、特許文献１参照）。特許文献１では、周長が約１波長のループ素子をグランドプレーンと平行に離間させて配置し、ループ素子とグランドプレーンとの間に、ループ素子のループと平行に約１／４波長の給電導体を配置する。給電導体の一端に同軸線路の中心導体を接続し、外部導体をグランドプレーンに接続する。給電導体からループ素子へ電磁結合によって給電する。
【０００５】
また、ループアンテナの小型化並びに部品点数と組立工数の低減を図るようにした「ループアンテナ」も知られている（例えば、特許文献２参照）。この特許文献２では、両面印刷配線板の上面を全面グランドプレーンとし、裏面にＲＦ回路を設ける。グランドプレーンの上方にループ素子を平行に配置する。ループ素子とグランドプレーンとの間に給電導体を配置する。給電導体を配線板の裏面のＲＦ回路に接続して給電導体からループ素子へ電磁結合によって給電する。また、特許文献２では、ループの中心からみて給電点が９０°の角度間隔である第１及び第２の給電導体をループ素子とグランドプレーンとの間に配置し、電磁結合により給電導体からループ素子に給電して左旋円偏波と右旋円偏波とを選択的に送受信できるようにした、実施の形態も開示している。
【０００６】
更に、水平偏波と垂直偏波、または左旋円偏波と右旋円偏波に対応できる薄型平面アンテナも知られている（例えば、特許文献３参照）。特許文献３に開示された平面アンテナでは、ループ形のアンテナ素子をグランドプレーンと平行に配置し、給電点が９０°変位している第１及び第２の給電導体をループ素子とグランドプレーンとの間に配置している。第１及び第２の給電導体に、それぞれ、第１及び第２の同軸線路の中心導体を接続し、第１及び第２の同軸線路の外部導体をグランドプレーンに接続して、電磁結合によりアンテナ素子に給電する。第１の給電導体から給電した場合は水平偏波が放射され、第２の給電導体から給電すると垂直偏波が放射される。第１及び第２の給電導体をスイッチすることにより、水平偏波と垂直偏波を送受信できる。また、ループ素子に摂動素子を設ければ、左旋／右旋円偏波両用アンテナになる。
【０００７】
更にまた、ＩＣタグ用アンテナではないが、インピーダンスマッチングを容易にとることができる電磁結合型Ｎ点給電ループアンテナも知られている（例えば、特許文献４参照）。特許文献４に開示された電磁結合型Ｎ点給電ループアンテナは、可撓性の絶縁フィルム部材を中心軸の回りに筒状に丸めて形成された筒体と、この筒体にその周面に沿って中心軸の回りにループ状に形成された導体よりなるループ部とを有する。ループ部へＮ（Ｎは２以上の整数）点で給電するために、筒体にその周面上に形成されたＮ本の給電線が設けられている。ループ部とＮ本の給電線の各々との間にギャップが設けられ、ループ部への給電を電磁結合によって行う。筒体は、回路基板の主面上に立設して固定されており、この回路基板の主面上にはＮ本の給電線に接続されるＮ点給電位相シフタが形成されている。
【０００８】
【特許文献１】特開平１１−２０５０２８号公報
【特許文献２】特開平１１−２２０３１７号公報
【特許文献３】特開平１１−２６６１２０号公報
【特許文献４】特開２００３−１７４３１４号公報
【発明の開示】
【発明が解決しようとする課題】
【０００９】
しかしながら、特許文献１に開示されたループアンテナでは、１本の給電導体を使用して電磁結合によりループ素子に給電するので、広帯域に亘って良好な軸比を得ることが出来ないという問題がある。
【００１０】
又、特許文献２及び３では、ループの中心からみて給電点が９０°変移している第１及び第２の給電導体をループ素子とグランドプレーンとの間に配置し、左旋円偏波と右旋円偏波とを選択的に送受信できるようにしたループアンテナ（平面アンテナ）を開示している。しかしながら、これら特許文献２及び３に開示されたループアンテナ（平面アンテナ）では、第１及び第２の給電導体の一方を選択的に使用するので、一度には１本の給電導体しか使用されず、その結果として、上記特許文献１に開示されたループアンテナと同様に、広帯域に亘って良好な軸比を得ることが出来ないという問題がある。
【００１１】
一方、特許文献４では、１本の線状のループ部（ループ素子）にＮ本の給電線（給電導体）で電磁結合により給電を行うループアンテナを開示している。しかしながら、特許文献４に開示されたループアンテナは、ループ部（ループ素子）が線状であるので、天頂方向の利得が小さいという問題がある。
【００１２】
したがって、本発明の課題は、非常に広範囲に亘って良好な軸比を得ることができる、円偏波アンテナを提供することができる。
【００１３】
本発明の他の課題は、天頂方向の利得が大きい、円偏波アンテナを提供することにある。
【課題を解決するための手段】
【００１４】
本発明の第１の態様によれば、平面状ループアンテナ素子（１２２；１２２Ａ）と、該平面状ループアンテナ素子に対して位相を（３６０／Ｎ）度（Ｎは２以上の整数）ずつ変化させたＮ個の給電を行う給電手段（１３１〜１３４；１３Ａ；１３Ｂ；１３Ｃ）と、を有する円偏波アンテナが得られる。
【００１５】
上記本発明に係る円偏波アンテナにおいて、前記給電手段は、第１乃至第Ｎの給電プローブ（１３１〜１３４）から構成される。円偏波アンテナは、前記第１乃至第Ｎの給電プローブに接続された（３６０／Ｎ）度位相シフタ（２０）を有する。前記平面状ループアンテナ素子は、平面方形のループ形状（１２２）をしていても良いし、平面円形のループ形状（１２２Ａ）をしていても良い。前記第１乃至第Ｎの給電プローブの各々の形状は、逆Ｌ字形（１３１〜１３４）でも良いし、Ｌ字形(１３Ａ)でも良いし、Ｔ字形（１３Ｂ）でも良いし、逆三角形（１３Ｃ）であっても良い。
【００１６】
本発明の第２の態様によれば、上面（１２Ｕ）に平面アンテナ素子パターン（１２２）が形成されたアンテナ基板（１２）と、前記平面アンテナ素子パターンへ電磁結合により給電するために、位相を（３６０／Ｎ）度（Ｎは２以上の整数）ずつ変化させたＮ本の給電プローブ（１３１〜１３４）と、前記アンテナ基板と平行に配置されたグラント板（１５）と、該グランド板の裏面（１５Ｌ）に配置された回路基板（２５）であって、裏面（２５Ｌ）に前記Ｎ本の給電プローブと接続される（３６０／Ｎ）度位相シフタ（２０）が形成された前記回路基板（２５）と、前記Ｎ本の給電プローブを配置するためのＮ個の溝（１４１）を持ち、前記グランド板と前記アンテナ基板との間に配置されるベース（１４）と、前記ベースを間に挟んで前記アンテナ基板と前記グランド板とを締結する締結手段(１１，１６)と、を有することを特徴とする円偏波アンテナ(１０)が得られる。
【００１７】
尚、上記括弧内の符号は、本発明の理解を容易にするために付したものであり、一例にすぎず、これらに限定されないのは勿論である。
【発明の効果】
【００１８】
本発明では、平面状ループアンテナ素子に対して位相を（３６０／Ｎ）度ずつ変化させたＮ個の給電を行うので、非常に広範囲に亘って良好な軸比を得ることができ、天頂方向の利得を大きくすることができるという効果を奏する。
【発明を実施するための最良の形態】
【００１９】
以下、図面を参照して、本発明の実施の形態について詳細に説明する。
【００２０】
図１及び図２を参照して、本発明の一実施の形態に係る円偏波アンテナ１０について説明する。図１は円偏波アンテナ１０の斜視図であり、図２は円偏波アンテナ１０の正面図である。図示の円偏波アンテナ１０は、前述したＩＣタグとの間で電波を送受信するために用いられるアンテナである。尚、図１において、座標系として、前後方向をＸ軸方向に、左右方向をＹ軸方向に、上下方向をＺ方向にとってある。
【００２１】
図示の円偏波アンテナ１０は、平面状ループアンテナ素子１２２と、この平面状ループアンテナ素子１２２に対して位相を９０度ずつ変化させた４つの給電を行う給電手段とを有する。図示の給電手段は、第１乃至第４の給電プローブ１３１、１３２、１３３、１３４から成る。第１乃至第４の給電プローブ１３１〜１３４の各々は逆Ｌ字形をしている。又、図示の平面状ループアンテナ素子１２２は平面方形のループ形状をしており、半径方向に一定の幅を持たせている。平面状ループアンテナ素子１２２は、その中央部に矩形の穴１２２ａが形成されている。
【００２２】
平面状ループアンテナ素子１２２は、ワイヤによる線状ループアンテナ素子よりも内周長と外周長との差が大きく、内周長と外周長との中間が約１波長となっている。これにより、共振帯域幅を拡大している。
【００２３】
円偏波アンテナ１０は、平面状ループアンテナ素子１２２と平行に配置された回路基板２５を更に備える。回路基板２５は平面状ループアンテナ素子１２２よりも大面積である。回路基板２５は上面（主面）２５Ｕと下面（裏面）２５Ｌとを持つ。図示の回路基板２５の上面（主面）２５Ｕは全面がグランドプレーンである。回路基板２５の下面（裏面）２５Ｌには、後述する９０度位相シフタが形成されている。回路基板２５は、各給電プローブ１３１〜１３４を通すための４つの貫通穴２５ａを持つ。
【００２４】
したがって、グランドプレーン２５Ｕの上方には、平面状ループアンテナ素子１２２がグランドプレーン２５Ｕと平行に配置される。平面状ループアンテナ素子１２２とグランドプレーン２５Ｕとの間に４本の給電プローブ１３１〜１３４が配置される。各給電プローブ１３１〜１３４は、非スルーホールである貫通穴２５ａを通じて、回路基板２５の下面（裏面）２５Ｌへ貫通し、９０度位相シフタに接続される。
【００２５】
図３は、給電導体（給電プローブ）が１本しかない従来の円偏波アンテナと本発明に係る円偏波アンテナ１０の軸比特性を示すグラフである。図３において、１給電は従来の円偏波アンテナの軸比特性を示し、４給電は本発明に係る円偏波アンテナ１０の軸比特性を示す。図３において、縦軸は軸比を示し、横軸は周波数を示す。図３から、従来の円偏波アンテナと比較して、本発明に係る円偏波アンテナ１０の方が、非常に広帯域に亘って良好な軸比を得ることが出来ることがわかる。
【００２６】
また、特許文献４に開示されているような、線状ループアンテナ素子を持つ円偏波アンテナと比較して、本発明に係る円偏波アンテナ１０は、送受信面積の広い平面状ループアンテナ素子１２２を持っている。その結果、本発明に係る円偏波アンテナ１０は、天頂方向Ｚでの利得が大きいという利点もある。
【００２７】
尚、図１に示す円偏波アンテナ１０においては、平面状ループアンテナ素子１２２は平面方形のループ形状をしており、第１乃至第４の給電プローブ１３１〜１３４の各々は逆Ｌ字形をしているが、平面状ループアンテナ素子及び給電プローブの形状はこれらに限定されないのは勿論である。
【００２８】
例えば、平面状ループアンテナ素子としては、図４に示されるように、平面円形のループ形状をした平面状ループアンテナ素子１２２Ａを使用しても良い。また、給電プローブとしては、図５に示されるような、Ｌ字形の給電プローブ１３Ａを使用しても良いし、図６に示されるような、Ｔ字形の給電プローブ１３Ｂを使用しても良いし、図７に示されるような、逆三角形の給電プローブ１３Ｃを使用しても良い。
【実施例】
【００２９】
図８乃至図１１を参照して、本発明の第１の実施の形態に係る円偏波アンテナ１０の具体例（実施例）について説明する。図８は平面アンテナ１０の概略分解断面図である。図９は円偏波アンテナ１０の平面図である。図１０は円偏波アンテナ１０の底面図である。図１１は円偏波アンテナ１０の側面図である。図示の円偏波アンテナ１０は、前述したＩＣタグとの間で電波を送受信するために用いられるアンテナである。
【００３０】
図示の円偏波アンテナ１０は、ケース１１と、アンテナ基板１２と、第１乃至第４の給電プローブ（給電導体）１３１〜１３４と、ベース１４と、グランド板１５と、回路基板２５とを備える。ケース１１は、例えば、耐熱ＡＢＳ樹脂等の樹脂材料で作られており、実質的に正方板の形状をしている。第１乃至第４の給電プローブ１３１〜１３４の各々は銅線から成り、概略逆Ｌ字形をしている。ベース１４は、例えば、耐熱ＡＢＳ樹脂等の樹脂材料で作られており、実質的に正方板の形状をしている。グランド板１５は実質的に円板の形状をしている。回路基板２５は実質的に矩形の形状をしている。
【００３１】
グランド板１５の上面１５Ｕ上に、中心軸Ｏが一致された状態で、ベース１４が配置されている。ベース１４は、各給電プローブ１３１〜１３４を搭載するための４つのＬ字形の溝１４１を持つ。ベース１４の上面１４Ｕ上にアンテナ基板１２が配置されている。アンテナ基板１２には、後述するような、平面アンテナ素子パターン１２２が形成されている。アンテナ基板１２の上面１２Ｕ上にケース１１が搭載されている。これらグランド板１５、ベース１４、アンテナ基板１２、およびケース１１は、後述するように、４本のタッピングネジ１６によって一体に固定される。各給電プローブ１３１〜１３４は平面アンテナ素子パターン１２２へ電磁結合で給電するためのものである。
【００３２】
図１２乃至図１５を参照して、ケース１１について説明する。図１２はケース１１の平面図である。図１３はケース１１の底面図である。図１４はケース１１の側面図である。図１５は図１２の線XV-XVについての断面図である。
【００３３】
ケース１１は上面１１Ｕと下面１１Ｌとを持つ。ケース１１は、四隅で下面１１Ｌから下方へ突出する直方体形状の４つのボス１１１を有する。これらボス１１１の各々には、上記タッピングネジ１６を螺合するための雌ねじがきざみ付けられた螺子穴１１ａが設けられている。したがって、各ボス１１１は、タッピングネジ１６が螺合されるナットとして働く。この結果、別部品としてのナットが不要となるので、部品点数を削減できる。また、螺子穴１１ａの長さがタッピングネジ１６のネジ部１６２の長さより長い。その為、ケース１１の上面１１Ｕよりタッピングネジ１６のネジ部１６２が突出することはない。さらに、ケース１１には、後述するベース１４の位置決めピンを挿入するための貫通穴１１ｂが２箇所穿設されている。
【００３４】
とにかく、本実施例では、４つのボス１１１を有するケース１１と４本のタッピングネジ１６との組合わせが、ベース１４を間に挟んでアンテナ基板１２とグランド板１５とを締結する締結手段として働く。
【００３５】
図１６はアンテナ基板１２の平面図である。アンテナ基板１２は、その四隅が、ケース１１のボス１１１を通すために四角形状に切り欠けられている。換言すれば、アンテナ基板１２は、その四隅に切欠き部１２１を持つ。また、アンテナ基板１２は、ケース１１の２つの貫通穴１１ｂと対応する位置に、位置決めピンを挿入するための貫通穴１２ａを持つ。このアンテナ基板１２の上面１２Ｕの中央には、前述した平面アンテナ素子パターン１２２が形成されている。この平面アンテナ素子パターン１２２は、例えば、銅箔で作られる。平面アンテナ素子パターン１２２は、矩形の穴１２２ａを持つ。
【００３６】
図１７乃至図２１を参照して、ベース１４について説明する。図１７はベース１４の平面図である。図１８はベース１４の底面図である。図１９はベース１４の側面図である。図２０は図１７の線XX-XXについでの断面図である。図２１は図１７の線XXI-XXIについての断面図である。
【００３７】
ベース１４は上面１４Ｕと下面１４Ｌとを持つ。ベース１４は、上面１４Ｕ上に４つのＬ字形の溝１４１を持つ。ベース１４は、これら４つのＬ字形の溝１４１の一端でそれぞれ下方へ延在する４つの貫通穴１４２を持つ。上記第１乃至第４のプローブ１３１〜１３４は、４つのＬ字形の溝１４１と４つの貫通穴１４２とに沿って配設される。ベース１４は、上記２つの位置決めピン１４３を持つ。これら位置決めピン１４３は、ベース１４から上下方向に延在している。各位置決めピン１４３は、上面１４Ｕから突出する上側突出部１４３Ｕと、下面１４Ｌから突出する下側突出部１４３Ｌと持つ。上側突出部１４３Ｕが下側突出部１４３Ｌより長い。これは、位置決めピン１４３の上側突出部１４３Ｕが、上記アンテナ基板１２の貫通穴１２ａと上記ケース１１の貫通穴１１ｂとを貫通する必要があるからである。ベース１４は、アンテナ基板１２と同様に、その四隅が、ケース１１のボス１１１を通すために四角形状に切り欠けられている。換言すれば、ベース１４は、その四隅に切欠き部１４４を持つ。
【００３８】
図２２乃至図２５を参照して、グランド板１５と回路基板２５について説明する。図２２はグランド板１５の平面図である。図２３はグランド板１５と回路基板２５の底面図である。図２４はグランド板１５の側面図である。図２５は図２３の線XXV-XXVについての断面図である。
【００３９】
グランド板１５は上面（主面）１５Ｕと下面（裏面）１５Ｌとを持つ。グランド板１５は、ケース１１のボス１１１と対応する位置で、上面（主面）１５Ｕから上方へ突出した４つのネジ頭受け部１５１を持つ。これらネジ頭受け部１５１は、グランド板１５の切り起こしにより形成され、断面Ｌ字形をしている。各ネジ頭受け部１５１のグランド板１５の下面（裏面）１５Ｌからの高さは、タッピングネジ１６の頭部１６１の厚さより高い。これらネジ頭受け部１５１には、タッピングネジ１６のネジ部１６２を通すための貫通穴１５ａが穿設されている。各ネジ頭受け部１５１は、タッピングネジ１６用のワッシャの役目を果たしている。その結果、別部品としてのワッシャが不要であり、部品点数を低減できる。
【００４０】
グランド板１５は、第１乃至第４の給電プローブ１３１〜１３４を通すための４つの貫通穴１５ｂを持つ。グランド板１５は、ベース１４の２つの位置決めピン１４３の下側突出部１４３Ｌを挿入するための２つの貫通穴１５ｄを持つ。
【００４１】
図２３に示されるように、グランド板１５の下面（裏面）１５Ｌには、回路基板２５が取り付けられている。回路基板２５の裏面２５Ｌに上記９０度位相シフタ２０が形成されている。また、回路基板２５は、第１乃至第４の給電プローブ１３１〜１３４を通すための４つの貫通穴２５ａを持つ。
【００４２】
第１乃至第４の給電プローブ１３１〜１３４は、それぞれ、回路基板２５の４つの貫通穴２５ａを貫通した先端に、第１乃至第４の給電端子１３１ａ、１３２ａ、１３３ａ、および１３４ａを持つ。これら第１乃至第４の給電端子１３１ａ〜１３４ａに９０度位相シフタ２０の４つの端子が接続されている。９０度位相シフタ２０は給電点２０ａを持つ。尚、９０度位相シフタ２０は、３つの結合部として、この技術分野において周知のウィルキンソン・カプラを使用している。
【００４３】
図２６を参照して、ケーブル１７について説明する。図示のケーブル１７は、同軸ケーブルである。周知のように、同軸ケーブル１７は、円筒状の外部導体１７１と、その中心にある中心導体１７２とからなる同軸形状の電気信号伝送媒体である。外部導体１７１と中心導体１７２との間は円筒状の絶縁体１７３で絶縁されている。また、外部導体１７１はシース１７４で覆われている。
【００４４】
図２６に示されるように、ケーブル１７の先端部において、ケーブル１７のシース１７４、外部導体１７１、および絶縁体１７３をカットして、ケーブル１７の中心導体１７２、絶縁体１７３、および外部導体１７１を露出させている。一方、ケーブル１７の後端部にはコネクタ１８が取り付けられている。
【００４５】
図１０および図１１に示されるように、ケーブル１７はグランド板１５の下面（裏面）１５Ｕ上に配設される。ケーブル１７の先端部で露出している中心導体１７２は、半田２１で９０度位相シフタ２０の給電点２０ａと電気的に接続される。また、ケーブル１７の先端部で露出している外部導体１７３は、半田２２でグランド板１５と電気的に接続される。
【００４６】
このように本実施例では、上面１２Ｕに平面アンテナ素子パターン１２２が形成されたアンテナ基板１２とグランド板１５との間にベース１４を配置して、それらを締結手段で締結するようにしたので、少ない部品で平面アンテナ素子パターン１２２とグランド板１５との間の間隔を所定間隔に維持することができる。
【００４７】
また、締結手段としては、下方に延在し、螺子穴１１ａを持つ４つのボス１１１を備えたケース１１と、それら螺子穴に螺合するネジ１６とを使用することにより、４つのナットを省略できるので、部品点数を低減できる。更に、グランド板１５にその上方へ突出するネジ頭受け部１５１を設けることにより、４つのワッシャを省略できるので、部品点数を削減できる。また、そのネジ頭受け部１５１のグラント板１５からの高さを、ネジ１６の頭部１６１より厚みより高くすることにより、ネジ１６が円偏波アンテナ１０から突出しない構造とすることができる。これにより、客先で円偏波アンテナ１０をセットへ取り付け、組み込む際の障害物をなくすことができるので、組立性を向上できる。
【００４８】
以上、本発明について好ましい実施の形態によって説明してきたが、本発明は上述した実施の形態に限定しないのは勿論である。例えば、上記実施の形態では、給電手段が４本の給電プローブからなる場合のみを例に挙げて説明しているが、給電プローブの本数Ｎは２以上であれば良い。
【図面の簡単な説明】
【００４９】
【図１】本発明の一実施の形態に係る円偏波アンテナの斜視図である。
【図２】図１に示した円偏波アンテナの正面図である。
【図３】従来の円偏波アンテナと図１に示した円偏波アンテナの軸比／周波数特性を示すグラフである。
【図４】本発明の円偏波アンテナに使用される平面状ループアンテナ素子の他の例を示す斜視図である。
【図５】本発明の円偏波アンテナに使用される給電プローブの他の例を示す正面図である。
【図６】本発明の円偏波アンテナに使用される給電プローブの更に他の例を示す正面図である。
【図７】本発明の円偏波アンテナに使用される給電プローブのもっと他の例を示す正面図である。
【図８】本発明の一実施例に係る円偏波アンテナの概略分解断面図である。
【図９】図８に図示した円偏波アンテナの平面図である。
【図１０】図８に図示した円偏波アンテナの底面図である。
【図１１】図８に図示した円偏波アンテナの側面図である。
【図１２】図８に示した円偏波アンテナに使用されるケースの平面図である。
【図１３】図１２に示したケースの底面図である。
【図１４】図１２に示したケースの側面図である。
【図１５】図１２の線XV-XVについての断面図である。
【図１６】図８に示した円偏波アンテナに使用されるアンテナ基板の平面図である。
【図１７】図８に示した円偏波アンテナに使用されるベースの平面図である。
【図１８】図１７に示したベースの底面図である。
【図１９】図１７に示したベースの側面図である。
【図２０】図１７の線XX-XXについての断面図である。
【図２１】図１７の線XXI-XXIについての断面図である。
【図２２】図８に示した円偏波アンテナに使用されるグランド板の平面図である。
【図２３】図２２に示したグランド板と回路基板の底面図である。
【図２４】図２２に示したグランド板の側面図である。
【図２５】図２３の線XXV-XXVについての断面図である。
【図２６】図８に示した円偏波アンテナに使用されるケーブルを示す平面図である。
【符号の説明】
【００５０】
１０    円偏波アンテナ
１１    ケース
１１１    ボス
１１ａ    螺子穴
１２    アンテナ基板
１２Ｕ    アンテナ基板の上面
１２２    平面アンテナ素子パターン（平面状ループアンテナ素子）
１２２Ａ    平面状ループアンテナ素子
１３１〜１３４，１３Ａ,１３Ｂ,１３Ｃ    給電プローブ（給電導体）
１４    ベース
１４１    Ｌ字形の溝
１４３    位置決めピン
１５    グランド板
１５Ｕ    グランド板の主面（グランドプレーン）
１５Ｌ    グランド板の裏面
１５１    ネジ頭受け部
１６    タッピングネジ
１６１    頭部
１６２    ネジ部
１７    ケーブル
２０    ９０度位相シフタ
２５    回路基板
２５Ｌ    回路基板の裏面
【図１】
2007221185.tif 000003
【図２】
2007221185.tif 000004
【図３】
2007221185.tif 000005
【図４】
2007221185.tif 000006
【図５】
2007221185.tif 000007
【図６】
2007221185.tif 000008
【図７】
2007221185.tif 000009
【図８】
2007221185.tif 000010
【図９】
2007221185.tif 000011
【図１０】
2007221185.tif 000012
【図１１】
2007221185.tif 000013
【図１２】
2007221185.tif 000014
【図１３】
2007221185.tif 000015
【図１４】
2007221185.tif 000016
【図１５】
2007221185.tif 000017
【図１６】
2007221185.tif 000018
【図１７】
2007221185.tif 000019
【図１８】
2007221185.tif 000020
【図１９】
2007221185.tif 000021
【図２０】
2007221185.tif 000022
【図２１】
2007221185.tif 000023
【図２２】
2007221185.tif 000024
【図２３】
2007221185.tif 000025
【図２４】
2007221185.tif 000026
【図２５】
2007221185.tif 000027
【図２６】
2007221185.tif 000028